(57)【要約】【課題】冷蔵室や収納量の多い扉ポケット部が本体の上部にあっても冷蔵室扉の開扉時における冷蔵庫を倒れにくくし、万一子供が扉にぶら下がるようなことがあっても冷蔵庫が倒れる恐れがなく、設置スペースを小さく、扉前面空間が狭くとも庫内食品の取り出し収納の使い勝手がよい冷蔵庫を提供する。【解決手段】冷蔵室５２の前面の扉を、観音開き式の回転扉１１，１２とする。これら回転扉１１，１２の幅寸法（Ｗ２）を、冷蔵庫筐体５の奥行き寸法（Ｄ０）の１／２以下とする。特には、重量が７０ｋｇ以上の冷蔵庫において、左右の回転扉１１，１２の幅寸法（Ｗ２）を等しくするとともに、該幅寸法（Ｗ２）が約３０ｃｍまたはこれ以下となるようにする。【選択図】  図１
2004340391.tif 000002
【特許請求の範囲】
【請求項１】
回転扉が前面に設けられ、高さ寸法（Ｈ）が左右幅寸法（Ｗ１）の２．５倍以上で、かつ重量が７０ｋｇ以上である冷蔵庫において、
前記回転扉を、左右が一対をなす観音扉式とし、
前記回転扉の各幅寸法（Ｗ２）を、冷蔵庫筐体の奥行き寸法（Ｄ０）の１／２またはこれ以下としたことを特徴とする冷蔵庫。
【請求項２】
前記左右の回転扉の幅寸法（Ｗ２）が、互いに等しく、３０ｃｍ以下であることを特徴とする請求項１に記載の冷蔵庫。
【請求項３】
前方の支持脚を、冷蔵庫筐体により覆われる領域内に配置したことを特徴とする請求項１または２に記載の冷蔵庫。
【請求項４】
回転扉が前面に設けられ、高さ寸法（Ｈ）が左右幅寸法（Ｗ１）の２．５倍以上である冷蔵庫において、
前記回転扉を、左右が一対をなす観音扉式とし、
前記回転扉の各幅寸法（Ｗ２）は、下記の一般式（１）で示される寸法以下であることを特徴とする冷蔵庫。
Ｗ２＝Ｇ・ｂ／Ｆ        ・・・（１）
但し、Ｇ：冷蔵庫の重量
Ｆ：小学生の平均体重Ｘ２
ｂ：冷蔵庫の重心位置（冷蔵庫筐体前面からの距離）
【発明の詳細な説明】
【０００１】
【発明の属する技術分野】
本発明は、前面に回転扉が設けられた冷蔵庫に関し、特には、左右幅寸法に対する高さ寸法の比が大きいスリムタイプ（細型）の冷蔵庫に関する。
【０００２】
【従来の技術】
近年の家庭用冷蔵庫の容量は、食生活や食品流通事情の変化から大容量化の傾向にあり、設置容積の確保は、台所事情など限られたスペースから、幅寸法の拡大よりも高さ寸法を高くすることで解決しており、その結果、現大形冷蔵庫の高さ寸法は１８００ｍｍにもなり、主な使用者である日本女性の平均身長からも限界レベルにある。
【０００３】
一般に、家庭用冷蔵庫の扉は各貯蔵室毎に設けられているが、最も使用頻度が高く扉の開閉数が多いことから冷蔵室を冷蔵庫本体の最上部に配置する傾向にあり、冷蔵室は収納容積が大きいことから、その開口部に一側をヒンジで枢支した回動式の扉を設けて開閉するようにし、その下部に配置した野菜室や冷凍室、製氷室などは個々の設置高さ位置や使い勝手面から引き出し扉による開閉をおこなっている例が多い。
【０００４】
冷蔵室については、上記配置条件による形態から本体上部および庫内奥部に収納棚部が存在し手が届きにくいことから、収納物の出し入れ作業を改善するため、近年は、より手近にあって使い勝手のよい冷蔵室扉の内側ポケットの収納容積を増大させており、その結果として冷蔵室扉の重量が大きくなり、開扉時には冷蔵庫本体の重心が上方および前方に移動する傾向にあった。
【０００５】
したがって、冷蔵庫の扉幅が、例えば６００ｍｍであれば、冷蔵室の開扉時には扉の反ヒンジ側、すなわち開放側の端面が扉幅寸法分前方に突出することになる。また本体上部の扉内側ポケット部にペットボトルや調味料などを多く収納して重心が高くなった冷蔵室扉を開くことによって冷蔵庫が倒れやすくなるおそれがある。冷蔵庫倒れに対する安全保持のために、冷蔵庫下方前部における支持脚位置を前方に移動させるなどの措置が必要となり、結局、設置のための床スペースが大きくなる欠点に繋がっていた。
【０００６】
一方、冷蔵庫の転倒防止のためには、冷蔵庫の背面に係止体を設けておき、設置個所近傍の壁面に固定することも提案されている（特許文献１）。しかし、このような転倒防止具を用いる方法であると、背面から後方に係止体が突き出てしまう他、壁面に固定するための作業を要するのであり、賃貸マンションのコンクリート壁面等、ネジ止めを行えない場合もある。
【０００７】
【特許文献１】特開平１０−３０８７５号公報
【０００８】
【発明が解決しようとする課題】
本発明はこの点に着目してなされたもので、冷蔵室や収納量の多い扉ポケット部が本体の上部にあっても冷蔵室扉の開扉時における冷蔵庫を倒れにくくし、万一子供が扉にぶら下がるようなことがあっても冷蔵庫が倒れる恐れがなく、設置スペースを小さく、扉前面空間が狭くとも庫内食品の取り出し収納の使い勝手がよい冷蔵庫を提供することを目的とする。
【０００９】
【課題を解決するための手段】
上記課題を解決するために、本発明による冷蔵庫は、回転扉が前面に設けられ、高さ寸法（Ｈ）が左右幅寸法（Ｗ１）の２．５倍以上である冷蔵庫において、前記回転扉を、左右が一対をなす観音扉式とし、前記回転扉の各幅寸法（Ｗ２）を、冷蔵庫筐体の奥行き寸法（Ｄ０）の１／２またはこれ以下としたことを特徴とするものである。
【００１０】
この構成により、本体高さが高いとともに幅寸法が小さく、冷蔵室扉の内側ポケットへの収納容量の大きい冷蔵庫であっても、開扉時における重心の前方移行を少なくして転倒を防止する安全な形態が得られるとともに、本体の支持脚を前方に突出させて外観意匠を損なうことのない冷蔵庫を得ることができる。
【００１１】
【発明の実施の形態】
本発明の実施例の冷蔵庫について、図１〜５を用いて説明する。図１の正面図には、実施例の冷蔵庫の扉の構成を示し、図２の縦断面図には、冷蔵庫内部の構成を示す。また、図３の縦断面図には、前方の支持脚の個所を拡大して示す。
【００１２】
図１に示すように、冷蔵庫の前面には、上段から、冷蔵室用の観音開き式の回転扉１１，１２、野菜室用の引き出し式扉２２、製氷室用及び温度切替室用の引き出し式扉２３及び２４、及び、冷凍室用の引き出し式扉２５が設けられている。
【００１３】
すなわち、図２に示すように、断熱壁からなる冷蔵庫筐体５の内部には、上段に最も収納容積の大きい冷蔵室５１が設けられ、中段に野菜室５２が設けられる。
【００１４】
そして、下段部上方には自動製氷装置を設置した製氷室と温度切替室５３を併置し、最下部には冷凍室５５を配置している。また、冷凍室５５と野菜室５２の後部には、冷凍用冷却器５７と冷蔵用冷却器５８およびそれぞれに冷却ファンを設けて、本体下部に設置した冷媒圧縮機５９の駆動により、前記各冷却器５７，５８によって冷却された冷気を各貯蔵室に送風し、それぞれを所定の設定温度に冷却制御する。冷蔵室５１内には複数の棚４を配置して複数段に亙る貯蔵品の収納空間を形成している。
【００１５】
図１中に示すように、左右の回転扉１１，１２は、それぞれヒンジ部３１，３２を通じて、冷蔵庫筐体５の左右の壁部により上下から支持されており、互いに同一の左右幅寸法Ｗ２を有する。すなわち、左右の回転扉１１，１２は、冷蔵庫筐体５の前面を左右に２等分する中央線Ｃ−Ｃのところで合わさっている。
【００１６】
また、冷蔵庫の高さ寸法（床面からの高さ）Ｈは、冷蔵庫の幅寸法Ｗ１の２．５倍以上であり、通常１５５〜１９５ｃｍ、特には１６５〜１８５ｃｍである。
【００１７】
図１及び３に示すように、各回転扉１１，１２の外面には、下端に、水平方向の取っ手１３が取り付けられており、また、図２〜３に示すように、各回転扉１１，１２の内面には、冷蔵室５１内部へと突き出す扉ポケット部材１４が取り付けられる。図示の例では、３段の扉ポケット部材１４−１〜１４−３が取り付けられている。
【００１８】
左右の回転扉１１，１２の間の密封は、ガスケット同士の接触により、あるいは、特に図示しないが、左右一方の回転扉に設けられて扉の開閉とともに回動する回動仕切り板と、他方の回転扉のガスケットとが当接することにより行われる。したがって、左右の回転扉１１，１２を開放した際には、冷蔵室５１内を左右に仕切る区画板は存在せず、室内を広く使用できるように構成されている。
【００１９】
なお、図１に示す例において、左方の回転扉１１に、コントロールパネル１５が埋め込まれている。
【００２０】
一方、図２〜３に示すように、前方の支持脚６１は、冷蔵庫筐体５に覆われる領域内に納まっており、支持脚６１の前端６１ａは、冷蔵庫筐体５の前面５ａと、略一致する位置にある。
【００２１】
また、図３に示すように、支持脚６１は、短円柱状の本体と上方に突き出るネジ棒とからなっており、冷蔵庫筐体５のアングル部に設けられたネジ孔にねじ込まれることで、直接取り付けられている。また、その少し後方で、キャスター６２も同様にねじ込まれて固定されている。すなわち、支持脚６１及びその後方のキャスター６２は、別途の取付部材を介さずに直接、冷蔵庫筐体５に取り付けられている。
【００２２】
これに対して、支持脚６１が、冷蔵庫筐体５の前面５ａより前方に突き出した個所に設けられる従前のスリムタイプの冷蔵庫にあっては、別途の取付部材に支持脚６１及びキャスター６２を取り付けた上で、該取付部材を冷蔵庫筐体５に固定する必要があった。さらには、前方に突き出した部分を覆うためのカバーを設ける必要がった。
【００２３】
したがって、実施例の構成によると、取付部材等を省くことができる分だけ、部材コスト及び組立コストを低減することができる。また、前方への突き出す部分がなくなるため、スッキリした外観となり、冷蔵庫の美観を向上させることができる。
【００２４】
図４〜５の、外観斜視図をベースにした模式図には、冷蔵庫の転倒とその防止に関連した回転モーメントについて示す。
【００２５】
まず、図４を用いて、到底ありえないような悪条件で、冷蔵庫の転倒を防止するための寸法設計について、試算した結果について説明する。ここでは、左右の回転扉１１，１２が９０°開き、かつその先端にそれぞれ約４０ｋｇの子供がぶら下がるという、想定を越えるような厳しい条件を前提としている。したがって、この条件をクリアするなら、転倒は、全く起こり得ないと考えられる。
【００２６】
図４の模式図において、支持脚６１の前端６１ａを支点として、冷蔵庫の重力Ｇに起因する転倒防止のための右回り回転モーメントと、回転扉にぶら下がった子供の重力Ｆに起因する転倒のための左回り回転モーメントとが表現されている。
【００２７】
なお、図４中では、支持脚６１の前端６１ａが、図２〜３で説明した実施例と同様、冷蔵庫筐体５の前面５ａに一致しているものとして描いている。また、定格内容積４５０リットルの冷蔵庫についての具体的な寸法構成例を示している。
【００２８】
転倒を確実に防止できる寸法設計について求めるためには、上記の、あり得ないような悪条件においても、転倒させようとする左回り回転モーメントＦＭが転倒を防ごうとする右回り回転モーメントＧＭを上回らないようにすれば足りる。
【００２９】
すなわち、ＦＭ≦ＧＭとする。
【００３０】
ＦＭ＝ＧＭとなる条件について式で表すと、
Ｌ・Ｆｓｉｎα＝ｅ・Ｇｓｉｎβ  となる。
【００３１】
ｓｉｎα＝ａ／Ｌ  ，  ｓｉｎβ＝ｂ／ｅ
∴  Ｆ・Ｌ・ａ／Ｌ＝Ｇ・ｅ・ｂ／ｅ
Ｆ・ａ＝Ｇ・ｂ
ａ＝Ｇ・ｂ／Ｆ      ・・・・（１）
ここで、冷蔵庫の重量及び重心位置は、定格内容積が４５０リットルクラスのスリムタイプの冷蔵庫の平均的な値をとることにする。また、各子供の重量については、大きな子供の体重として、小学校６年生の平均体重（平成１３年度学校保健統計調査より）を採用することとする。すると、
Ｇ：  ８７ｋｇ〜９０ｋｇ
ｂ：  ２７８ｍｍ（冷蔵庫筐体前面からの水平距離）
Ｆ：４０．１ｋｇ×２人＝８０．２ｋｇ
よって、この条件での回転扉１１，１２の幅寸法ａ（図１のＷ２）は、
2004340391.tif 000003
【００３２】
したがって、回転扉１１，１２の幅寸法ａを３１２．０ｍｍ以下にしておけば、転倒を防止できるはずである。
【００３３】
なお、上記計算では、図１〜３で示した４５０リットルクラスの実施例の冷蔵庫について推算を行ったが、それ以下のクラスのもの、例えば４００リットルや３５０リットルクラスの冷蔵庫でも大差はない。
【００３４】
次に、図４と類似した図５の模式図を用いて、支持脚６１の前端６１ａを、冷蔵庫筐体５の前面５ａと同一平面内またはより後方に位置させることが可能になる寸法設計条件について試算する。
【００３５】
図５に基づき、上記と同様に、ＦＭ＝ＧＭとなる条件について式で表すと、
Ｌ・Ｆｓｉｎα＝ｅ・Ｇｓｉｎβとなる。
【００３６】
ｓｉｎα＝（ａ−Ｘ）／Ｌ，  ｓｉｎβ＝（ｂ＋Ｘ）／ｅ
∴  Ｆ・Ｌ・（ａ―Ｘ）／Ｌ＝Ｇ・ｅ・（ｂ＋Ｘ）／ｅ    （Ｇ／Ｆ＝ｃとする）
ここで、Ｇ，ｂ，Ｆは、上記（１）式の場合と同様であり、上に示した数値を代入する。
【００３７】
また、Ｘは、冷蔵庫筐体５の前面５ａから前方への、支持脚６１の前端６１ａの突き出し寸法である。すなわち、Ｘがマイナス値であれば、支持脚６１の前端６１ａを、冷蔵庫筐体５の前面５ａと同一平面内かこれより後方に配置しても転倒に対して充分に安定とすることができる。
【００３８】
∴  Ｘ＝（ａ−２７８ｃ）／１＋ｃ        ・・・（２）
次に、Ｘを０ｍｍ以下とするための、回転扉１１，１２の幅ａ（Ｗ２）を推算する。
【００３９】
ｃ＝Ｇ／Ｆであるため、８７／８０〜９０／８０＝１．０８〜１．１２
ａ＝３００ｍｍの場合
2004340391.tif 000004
同様に、ａ値を変更して計算すると下表のとおりとなる。冷蔵庫の重量が８７ｋｇである場合と、９０ｋｇである場合について計算を行った。
【００４０】
【表１】支持脚の所定位置Ｘの推算
2004340391.tif 000005
上記表に示すように、観音扉の幅が３００ｍｍであれば、Ｘ値はマイナスとなるため冷蔵庫筐体５（キャビネット）の前面５ａよりも奥側に前方の支持脚（前足）６１を位置させることが可能であるが、３０５ｍｍになると、冷蔵庫筐体５（キャビネット）の前面５ａよりも前方に、支持脚６１を配置すべきこととなる。そのため、上記の、ありえないような悪条件でも重心を安定させるためには、前方の支持脚（前足）６１が、冷蔵庫筐体５の前面５ａから突き出てしまい、外観に悪影響を与えるおそれが生じるとともに、取付部材のためのコストを省くことができなくなる。
【００４１】
上記の試算について、下記のように一般化を試みることができる。
【００４２】
上記具体例での重心位置ｂ（２７８ｍｍ）は、冷蔵庫筐体の前後方向寸法Ｄ０（６１５ｍｍ）に０．４５をかけた数値である。この数値は、他の定格内容積３００リットル以上の縦型冷蔵庫についても概ね同様であると考えられる。
【００４３】
また、冷蔵庫の重量Ｇについて、想定最大荷重Ｆの１．１倍としても通常は差し支えないと思われる。定格内容積３００リットル以上であれば、冷蔵庫の重量Ｇは少なくとも６６ｋｇであり、この場合に６０ｋｇを想定最大荷重Ｆとしても、何ら問題はないはずである。
【００４４】
すると、左右の回転扉１１，１２の寸法Ｗ２（ａ）が、冷蔵庫筐体の前後方向寸法Ｄ０のおよそ０．４５×１．１倍すなわち約１／２であるか、またはこれ以下であれば、転倒のおそれを除くことができるはずである。
【００４５】
これを式で説明するならば、以下のとおりである。
【００４６】
Ｆ・ａ≦Ｇ・ｂを変形したａ≦Ｇ・ｂ／Ｆを満たせば足りるところ、
Ｇ・ｂ／Ｆ＝１．１Ｘ０．４５ＸＤ０＝Ｄ０／２であるから、
ａ≦Ｄ０／２を満たせば良い。
【００４７】
しかし、冷蔵庫の重量が７０ｋｇ以上であるのが好ましく、より好ましくは８０ｋｇ以上である。この場合、図４〜５を用いて説明したように、左右の回転扉１１，１２の幅寸法Ｗ２（ａ）を３０ｃｍ以下とすることで、非常に高度の転倒防止性能を付与することができる。
【００４８】
マンション用等の左右幅寸法Ｗ１が６０ｃｍ前後であるスリムタイプの冷蔵庫であれば、観音扉式である左右の回転扉の幅寸法Ｗ２（ａ）を等しくとることで、容易に３０ｃｍ以下とすることができる。
【００４９】
次に、図６の部分拡大断面図を用いて、変形例について説明する。変形例においては、前方の支持脚６１及びその後方のキャスター６２が、簡単な取付部材６５を介して、冷蔵庫筐体５のアングル部に取り付けられている。また、その前方には、前面が引き出し式扉２５の外面に一致するカバー６６が設けられている。
【００５０】
この変形例においても、冷蔵庫筐体の前面５ａから突き出る場合に比べて、取付部材の構成が簡単になる。また、カバー６６は、なくても良いが、デザイン上の観点から自由に設けることも出来る。そのため、意匠的な効果を向上させることができる。図示の例では、カバー６６の前面を、引き出し式扉２５の前面に一致するように配置している。
【００５１】
【発明の効果】
以上説明したように、本発明によれば、本体高さが高いとともに幅寸法が小さく、冷蔵室扉の内側ポケットへの収納容量の大きい冷蔵庫であっても、開扉時における重心の前方移行を少なくして転倒を防止する安全な形態が得られるとともに、本体の支持脚を前方に突出させることなく外観意匠を良好にすることができる冷蔵庫を得ることができる。
【図面の簡単な説明】
【図１】本発明の１実施形態を示す冷蔵庫の正面図である。
【図２】図１における冷蔵庫の縦断面図である。
【図３】回転モーメントと転倒防止作用について説明するための、外観斜視図に基づく模式図である。前方の支持脚が、冷蔵庫筐体の前端部にある。
【図４】図３と同様の模式図であって、前方の支持脚が扉に覆われる個所に設けられた場合を示す。
【図５】前方の支持脚の個所についての拡大縦断面図である。
【図６】前方の支持脚の変形例について示す、図５に対応する拡大断面図である。
【符号の説明】
１１，１２  観音扉式の回転扉
１３  回転扉の取っ手
１４  扉ポケット部材
２２〜２５  引き出し式扉
３１，３２  ヒンジ部
５  冷蔵庫筐体（キャビネット）
５ａ  冷蔵庫筐体の前面
５１  冷蔵室
６１  前方の支持脚
６２  キャスター
Ｄ０  冷蔵庫筐体の奥行き寸法
Ｄ１  冷蔵庫の奥行き寸法（扉面まで）
Ｗ１  冷蔵庫の左右幅寸法
Ｗ２（ａ）  回転扉の幅寸法
Ｈ  高さ寸法
【図１】
2004340391.tif 000006
【図２】
2004340391.tif 000007
【図３】
2004340391.tif 000008
【図４】
2004340391.tif 000009
【図５】
2004340391.tif 000010
【図６】
2004340391.tif 000011